(57)【要約】【課題】継手管をワンタッチで接続するためのクリップの接続部からの脱落防止を行なうカバーを、クリップの上下に障害物が存在しても容易に装着できるようにする。【解決手段】第１継手管１に形成されたフランジ４と、第２継手管８に形成されたフランジ１１とを互いに重ね合わせて接合し、この接合部にクリップ１２を装着して両継手管１，８を接続し、クリップ１２先端に形成された両脚部１５，１５には両継手管１，８からの脱落を防止するためのカバー１９を装着して被覆するようにしたカバー付クリップにおいて、前記カバー１９はクリップ１２の一方の脚部１５が係合する第１係止孔２４が穿設された第１分割体２０と、クリップ１２の他方の脚部１５が係合する第２係止孔３３が穿設された第２分割体２９とからなり、両分割体２０，２９はスライド自在に係合してクリップ１２に装着するようにした。【選択図】　図１
2004069009.tif 000002
【特許請求の範囲】
【請求項１】
第１継手管に形成されたフランジと、第２継手管に形成されたフランジとを互いに重ね合わせて接合し、この接合部に抜け止め用のクリップを装着して両継手管を接続し、クリップ先端に形成された両脚部には両継手管からの脱落を防止するためのカバーを装着して被覆するようにしたカバー付クリップにおいて、前記カバーはクリップの一方の脚部が係合する第１係止孔が穿設された第１分割体と、クリップの他方の脚部が係合する第２係止孔が穿設された第２分割体とからなり、両分割体は左右にスライド自在に係合してクリップに装着するようにしたことを特徴とするカバー付クリップ。
【請求項２】
前記カバーは、一方の分割体に複数の係合孔を形成し、他方の分割体に係止片を形成し、他方の分割体を左右にスライドさせて係止片を何れかの係合孔に係合するようにしたことを特徴とする請求項１記載のカバー付クリップ。
【請求項３】
前記カバーの分割体は、係止片と係合孔の係合を解除するための摘みが形成されたことを特徴とする請求項１又は２記載のカバー付クリップ。
【請求項４】
前記カバーの各分割体は、クリップとのがたつき防止用のリブが形成されたことを特徴とする請求項１乃至３の何れかに記載のカバー付クリップ。
【発明の詳細な説明】
【０００１】
【発明の属する技術分野】
本発明は、各種継手管をワンタッチで接続するためのクリップが、その接合部から脱落するのを防止するためのカバー付クリップに関するものである。
【０００２】
【従来の技術】
従来、各種継手管をクリップによりワンタッチで接続することができるようにしたものとして公知のものに、特許第３０６９８２５号公報の図１（本願図面の図５）のものがある。この図５について簡単に説明すると、第１継手管４０と第２継手管４２の双方にそれぞれフランジ４１，４３を形成し、前記第１継手管４０の管端を第２継手管４２へ内嵌してフランジ４１，４３同士を重ね合わせて接合させると共に、これらの接合部に抜け止め用のクリップ４４を装着して、該クリップ４４に設けた長窓４５へ前記フランジ４１，４３同士の一部を挿入して、両継手管４０，４２の抜け止めを行なうようにし、更にクリップ４４の前記両フランジ４１，４３からの脱落を防止するため、クリップ４４の開口部４６に形成された一対の脚部４７，４７に跨って、脱落防止用のカバー４８を装着している。
【０００３】
前記カバー４８はクリップ４４の脚部４７，４７同士に跨ってこれを被覆保護する本体部４９と、該本体部４９の両端側に設けられ、前記クリップ４４の脚部４７，４７同士が外へ開かないように、脚部４７，４７同士の外周面へ接合する拡開防止壁５０，５０と、本体部４９の中央位置に設けられ、前記フランジ４１，４３の外周面へ接合する当接部５１とからなるものである。
【０００４】
上記のクリップは、脱落防止用のカバーを上部側から第１継手管に沿ってスライドさせて装着することにより、クリップに使用者の手が当たったり、物品が当たる等の予期せぬ外力が加わっても、両継手管の接合部から容易に脱落することがないようにしているが、図６に示すように上部側の第１継手管が大径で、クリップの脚部に対し同一垂直線上に突出している場合は、カバーが脚部の上部で第１継手管に当たってしまい、カバーを脚部に対し上部側からスライドさせることができず、クリップに装着することができない場合があり、その解決策が望まれていた。
【０００５】
【発明が解決しようとする課題】
そこで本発明は、各種継手管をワンタッチで接続するためのクリップの接続部からの脱落防止を行なうカバーを、クリップの上下に障害物が存在しても容易に装着できるようにするものである。
【０００６】
【課題を解決するための手段】
本発明は請求項１では、第１継手管に形成されたフランジと、第２継手管に形成されたフランジとを互いに重ね合わせて接合し、この接合部に抜け止め用のクリップを装着して両継手管を接続し、クリップ先端に形成された両脚部には両継手管からの脱落を防止するためのカバーを装着して被覆するようにしたカバー付クリップにおいて、前記カバーはクリップの一方の脚部が係合する第１係止孔が穿設された第１分割体と、クリップの他方の脚部が係合する第２係止孔が穿設された第２分割体とからなり、両分割体は左右にスライド自在に係合してクリップに装着するようにしたものである。
【０００７】
請求項２では、前記カバーは、一方の分割体に複数の係合孔を形成し、他方の分割体に係止片を形成し、他方の分割体を左右にスライドさせて係止片を何れかの係合孔に係合するようにしたものである。
【０００８】
請求項３では、前記カバーの分割体は、係止片と係合孔の係合を解除するための摘みが形成されたとしたものである。
【０００９】
請求項４では、前記カバーの各分割体は、クリップとのがたつき防止用のリブが形成されたものである。
【００１０】
【発明の実施の形態】
以下、本発明の実施の形態を図に基づいて詳細に説明する。
図１は互いに接続する第１継手管１と第２継手管８にクリップ１２及びカバー１９を装着する場合の説明図であり、第１継手管１は湯又は水が通過する通水管（図示省略）が接続される大径部２の先端に、該大径部２より小径の筒部３が形成され、この筒部３は外周の外径を大径としたフランジ４と、該フランジ４より先端の嵌合部５とを一体に形成したもので、該嵌合部５は外周面に複数個の環状溝６，６が形成され、該環状溝６，６にはシール用のシール部材７，７がそれぞれ装着されている。
【００１１】
前記第２継手管８は、先端に形成された端部９から軸方向に前記第１継手管１の嵌合部５が挿入される挿孔１０を開口し、この端部９の先端に、前記第１継手管１のフランジ４と同一外径のフランジ１１が一体的に形成されている。
【００１２】
したがって、第１継手管１の筒部３に形成された嵌合部５を第２継手管８の挿孔１０に挿入し、互いのフランジ４，１１を重ね合わせて接合させると、嵌合部５に装着されたシール用のシール部材７，７が挿孔１０の内周面に密着し、水密にシールされるようになっている。なお、第１継手管又は第２継手管は、内部に止水栓，逆止弁，流量調節弁等を収容したり、単に水又は湯が通過する通水管であってもよい。
【００１３】
前記第１継手管１と第２継手管８とをワンタッチで接続するためのクリップ１２は、一枚の帯状の金属板を折曲して形成したもので、基部１３の両端から外側へ略くの字型に屈曲して互いに向かい合わせた係止部１４，１４、及び該両係止部１４，１４の先端で外側へハの字型に屈曲した脚部１５，１５を設け、該両脚部１５，１５の間に開口部１６が形成され、該開口部１６は第１継手管１の嵌合部５と第２継手管８の端部９が軸直角方向に挿通して、前記両フランジ４，１１の直径より狭い幅に形成され、前記両係止部１４，１４の間に第１継手管１の嵌合部５と第２継手管８の端部９が挿通する挿通部１７が形成されている。前記基部１３から脚部１５，１５にかけて、前記第１継手管１と第２継手管８の両フランジ４，１１を重ね合わせた厚みに対応する上下幅で、両フランジ４，１１を弾性的に嵌入可能な横長のスリット１８，１８を開口し、このクリップ１２は前記基部１３を支点として拡開，縮径方向に弾性変形可能である。
【００１４】
前記カバー１９は合成樹脂製で、図１及び図２に示すように板状に形成された第１分割体２０と、同じく合成樹脂製で横長の板状に形成された第２分割体２９とからなり、クリップ１２の両脚部１５，１５を被覆するように装着される。なお、カバー１９は合成樹脂製であるので、装飾用のメッキを施したり着色を施すことで、美観を高めることができる。
【００１５】
前記第１分割体２０は略長方形状である基板２１の一端から水平方向に折曲して第１折曲片２２，２２を上下に一対形成し、両第１折曲片２２，２２の先端は第１垂直片２３により連結し、該第１垂直片２３の略中間には基板２１と平行してリブ２３ａが形成され、基板２１と両第１折曲片２２，２２と第１垂直片２３との間には縦方向に第１係止孔２４が穿設されている。なお、リブ２３ａの上下幅はスリット１８に隙間なく嵌合するように、スリット１８の上下幅と同一としている。また、基板２１は各第１折曲片２２，２２から水平方向に上下一対の鍔部２５，２５が延設され、両鍔部２５，２５の一端には互いに向かい合うように縦壁２６，２６がそれぞれ形成され、前記基板２１と両鍔部２５，２５と両縦壁２６，２６との間に、横長の溝孔２７が形成される。また、各鍔部２５，２５は上下の同一軸線上に係合孔２８，２８がそれぞれ穿設され、該係合孔２８は水平方向に間隔をおいて複数組穿設されている。なお、この係合孔は複数組であればいくつ穿設してもよい。
【００１６】
前記第２分割体２９は前記第１分割体２０に対し左右スライド自在に結合されるものであり、基部３０の一端から水平方向に折曲して前記第１分割体２０の第１折曲片２２と同一形状の第２折曲片３１，３１を上下に一対形成し、両第２折曲片３１，３１の先端は第２垂直片３２により連結し、該第２垂直片３２の略中間には基部３０と平行してリブ３２ａが形成され、基部３０と両第２折曲片３１，３１と第２垂直片３２との間の縦方向には第２係止孔３３が穿設されている。なお、リブ３２ａの上下幅はスリット１８に隙間なく嵌合するように、スリット１８の上下幅と同一としている。また、前記基部３０から水平方向に上下一対の係止片３４，３４が形成され、該係止片３４，３４は垂直部３４ａと水平部３４ｂとを備え、両係止片３４，３４の上下の間隔は、前記第１分割体２０の溝孔２７の間隔と同一である。そして、各係止片３４，３４の先端には、テーパー面３５ａを外側に向けて突出させた爪３５，３５と、摘み３６，３６とがそれぞれ形成されている。
【００１７】
従って、カバー１９の両分割体２０，２９を結合させるには、第２分割体２９の両係止片３４，３４を第１分割体２０の溝孔２７にスライド自在に嵌合させ、その結合位置を決めるには、係止片３４，３４先端の爪３５，３５を第１分割体２０の上下の係合孔２８，２８に弾力的に係合させればよい。なお、この場合カバー１９は合成樹脂製であるので、第２分割体２９の摘み３６，３６を指で持ち、両係止片３４，３４が互いに接近するように撓ませることで、係止片３４，３４の係合孔２８，２８に対する結合を解除し、第１分割体２０の溝孔２７内を摺動させることができる。
【００１８】
なお、カバーの第１分割体と第２分割体との係合手段は本実施例に限定されるものではなく、例えばビスを用いて結合したり、磁石を用いてもよいが、本実施例のように係止片が係合孔に係合するようにすれば、工具を使用しなくても手作業で両分割体の結合及び解除を容易に行なうことができる。
【００１９】
上記構成において、第１継手管１と第２継手管８とを接続するには、まず図１に示す第１継手管１の嵌合部５を第２継手管８の挿孔１０内に挿入し、互いのフランジ４，１１を重ね合わせて接合する。この場合第１継手管１と第２継手管８は、第１継手管１の嵌合部５に装着したシール部材７，７が第２継手管８の挿孔１０にシールされた状態で、水密的に接続させることができる。
【００２０】
次に図３（ａ）（ｂ）に示すように、クリップ１２を第１継手管１の嵌合部５と第２継手管８の端部９に対して略水平方向に押圧し、先端の両脚部１５，１５が両フランジ４，１１に当接して拡開しながら両フランジ４，１１の周縁部をクリップ１２のスリット１８，１８内に弾性的に嵌入し、両フランジ４，１１は周縁部の一部がスリット１８，１８から外へ飛び出してクリップ１２は両継手管１，８の接合部に装着され、両継手管１，８の抜け止めが行なわれる。
【００２１】
さらに、カバー１９の第１分割体２０をクリップ１２に装着する。この場合、カバー１９の第１分割体２０と第２分割体２９は、互いの折曲片２２，３１の間隔が、クリップ１２の両脚部１５，１５の間隔よりも広くなるように第２分割体２９の爪３５，３５を第１分割体２０の複数個の係合孔２８のうち、最も第２分割体２９に近い係合孔２８に係合させた状態としておき、第１分割体２０の第１係止孔２４にクリップ１２の一方の脚部１５を係合させ、さらにリブ２３ａを脚部１５に当接させ、カバー１９がクリップ１２に対してがたつくことがないようにする。
【００２２】
次に、第２分割体２９を両係止片３４，３４が第１分割体２０の溝孔２７をスライドするように押圧する。すると、両係止片３４，３４の先端はテーパー面３５ａ，３５ａであるので、互いに接近する方向に撓んで第１分割体２０の係合孔２８，２８を抜け出し、図４（ａ）（ｂ）に示すように、奥側の係合孔２８，２８に係合する。そして、第２分割体２９の第２係止孔３３にクリップ１２のもう一方の脚部１５が係合させ、さらにリブ３２ａを脚部１５に当接させ、カバー１９がクリップ１２に対してがたつくことがないようにする。
【００２３】
このように本発明のカバー付クリップでは、カバーをクリップに対し左右から水平方向に装着することができるので、クリップの上部の継手管が大径で、脚部の垂直線上に継手管が存在していたり、その他の障害物が存在していてもクリップの左右から水平方向へのスライド操作で容易に装着することができる。
【００２４】
次に、このカバー１９をクリップ１２から取り外すには、第２分割体２９の互いの摘み３６，３６を摘んで互いに接近するように収縮させ、係止片３４，３４の係合孔２８，２８に対する係合を解除する。そして、第２分割体２９を第１分割体２０から離れる方向にスライドさせれば、クリップ１２の一方の脚部１５は第２分割体２９の第２係止孔３３から離脱し、カバー１９をクリップ１２から分離させればよい。
【００２５】
【発明の効果】
本発明のクリップ付カバーは、クリップの継手管からの脱落を防止するためのカバーを左右からスライドさせて装着することができ、クリップの上下に障害物が存在しても左右から容易に装着することができる。
【００２６】
また、カバーは一方の分割体に複数の係合孔を形成し、他方の分割体に係止片を形成し、他方の分割体を左右にスライドさせて係止片を何れかの係合孔に係合するようにしたので、工具を使用しなくても手作業で装着したり、取り外すことができる。
【００２７】
さらに、カバーのクリップに対する結合を解除するには、摘みによる操作で容易に行なうことができる。
【００２８】
また、カバーにはクリップのスリットへ嵌合するリブが形成されているので、クリップとの間のがたつきを防止することができる。
【図面の簡単な説明】
【図１】クリップのカバーを、両継手管を接続するクリップに装着する場合の分解説明図である。
【図２】カバーの拡大斜視図である。
【図３】カバーをクリップに装着する場合の説明図で、（ａ）は断面図であり、（ｂ）は斜視図である。
【図４】カバーをクリップに装着した状態の説明図で、（ａ）は断面図であり、（ｂ）は斜視図である。
【図５】従来技術の説明図である。
【図６】図５の従来技術に異なる継手管を接続した場合の説明図である。
【符号の説明】
１　　　　　　　　第１継手管
４　　　　　　　　フランジ
８　　　　　　　　第２継手管
１１　　　　　　　フランジ
１２　　　　　　　クリップ
１５　　　　　　　脚部
１９　　　　　　　カバー
２０　　　　　　　第１分割体
２３ａ　　　　　　リブ
２４　　　　　　　第１係止孔
２８　　　　　　　係合孔
２９　　　　　　　第２分割体
３２ａ　　　　　　リブ
３４　　　　　　　係止片
３６　　　　　　　摘み
【図１】
2004069009.tif 000003
【図２】
2004069009.tif 000004
【図３】
2004069009.tif 000005
【図４】
2004069009.tif 000006
【図５】
2004069009.tif 000007
【図６】
2004069009.tif 000008